(57)【要約】【課題】投射像の投射によってバッテリの容量が低減し、そのために照明用として使用できなくなることを防止する照明装置およびランタンを提供する。【解決手段】ＬＥＤ光源３３および／または照明用ランプ４１光源と、ＬＥＤ光源３３からの光を利用して投射像を投射するプロジェクタモジュール３０と、照明用ランプ４１の光を照明用として外部へ放射する照明部４０と、ＬＥＤ光源３３および照明用ランプ４１に電力を供給するバッテリ５１の電圧を検出するバッテリチェック回路５３と、プロジェクタモジュール３０によって投射像を投射しているときにバッテリチェック回路５３によって検出した電圧値が第１の電圧値になると警告する警告ランプ１４とを備える。【選択図】図２
2008047407.tif 000002
【特許請求の範囲】
【請求項１】
投射用および／または照明用の光源と、
前記光源からの光を利用して投射像を投射する投射手段と、
前記光源の光を照明用として外部へ放射する放射手段と、
前記光源に電力を供給するバッテリの電圧を検出する電圧検出手段と、
前記投射手段によって投射像を投射しているときに前記電圧検出手段によって検出した電圧値が第１の電圧値になると警告する警告制御手段とを備えることを特徴とする照明装置。
【請求項２】
請求項１に記載の照明装置において、
前記警告制御手段は、前記放射手段によって光を放射しているときに前記電圧検出手段によって検出した電圧値が前記第１の電圧値になっても警告しないことを特徴とする照明装置。
【請求項３】
請求項１または２に記載の照明装置において、
前記警告制御手段によって警告した後、前記電圧検出手段によって検出した電圧値が、前記第１の電圧値より小さい第２の電圧値になると前記投射手段による投射像の投射を停止する投射制御手段を備えることを特徴とする照明装置。
【請求項４】
請求項１乃至３のいずれか１項に記載の照明装置において、
前記第１の電圧値および前記第２の電圧値は、前記放射手段によって所定時間、光を放射し続けることができる電圧値であることを特徴とする照明装置。
【請求項５】
請求項４に記載の照明装置において、
前記投射制御手段は、２つのモードを有し、
第１のモードでは、前記投射手段によって投射像を投射しているときに前記電圧検出手段によって検出した電圧値が前記第２の電圧値になると、前記投射手段による投射像の投射を停止し、
第２のモードでは、前記投射手段によって投射像を投射しているときに前記電圧検出手段によって検出した電圧値が前記第２の電圧値になっても、前記投射手段による投射像の投射を停止せず、
前記第１のモードと前記第２のモードとにモードを切り替えるモード切り替え手段を備えることを特徴とする照明装置。
【請求項６】
請求項５に記載の照明装置において、
前記第２のモードは、前記電圧検出手段によって検出した電圧値が、前記第２の電圧値より小さく、電圧値の低下によって投射像を投射することができなくなる第３の電圧値になると前記投射手段による投射像の投射を停止することを特徴とする照明装置。
【請求項７】
請求項３乃至５のいずれか１項に記載の照明装置において、
前記投射制御手段の制御に基づいて前記投射手段による投射像の投射が停止すると、前記放射手段による光の放射を開始する放射制御手段を備えることを特徴とする照明装置。
【請求項８】
請求項１乃至７のいずれか１項に記載の照明装置において、
前記電圧検出手段によって検出した電圧値に基づいて前記放射手段によって光を放射することのできる時間を算出する放射時間算出手段を備え、
前記投射手段は、前記放射時間算出手段によって算出した時間を表す情報を前記投射像に重畳して投射することを特徴とする照明装置。
【請求項９】
請求項１乃至８のいずれか１項に記載の照明装置を備えたランタン。
【発明の詳細な説明】
【技術分野】
【０００１】
本発明は、プロジェクタ機能を備えた照明装置およびランタンに関する。
【背景技術】
【０００２】
記録媒体に記録された映像をスクリーン上に投影する機能に加え、懐中電灯として使用できるプロジェクタ装置が従来技術として知られている（たとえば、特許文献１）。
【特許文献１】特開平６−５９２３９号公報
【発明の開示】
【発明が解決しようとする課題】
【０００３】
特許文献１に記載されているような従来のプロジェクタ装置では、バッテリで駆動する場合、バッテリの消耗により投射像を投射できなくなった後、照明用として使用できないという問題点がある。
【課題を解決するための手段】
【０００４】
（１）請求項１の発明の照明装置は、投射用および／または照明用の光源と、光源からの光を利用して投射像を投射する投射手段と、光源の光を照明用として外部へ放射する放射手段と、光源に電力を供給するバッテリの電圧を検出する電圧検出手段と、投射手段によって投射像を投射しているときに電圧検出手段によって検出した電圧値が第１の電圧値になると警告する警告制御手段とを備えることを特徴とする。
（２）請求項２の発明は、請求項１に記載の照明装置において、警告制御手段は、放射手段によって光を放射しているときに電圧検出手段によって検出した電圧値が第１の電圧値になっても警告しないことを特徴とする。
（３）請求項３の発明は、請求項１または２に記載の照明装置において、警告制御手段によって警告した後、電圧検出手段によって検出した電圧値が、第１の電圧値より小さい第２の電圧値になると投射手段による投射像の投射を停止する投射制御手段を備えることを特徴とする。
（４）請求項４の発明は、請求項１乃至３のいずれか１項に記載の照明装置において、第１の電圧値および第２の電圧値は、放射手段によって所定時間、光を放射し続けることができる電圧値であることを特徴とする。
（５）請求項５の発明は、請求項４に記載の照明装置において、投射制御手段は、２つのモードを有し、第１のモードでは、投射手段によって投射像を投射しているときに電圧検出手段によって検出した電圧値が第２の電圧値になると、投射手段による投射像の投射を停止し、第２のモードでは、投射手段によって投射像を投射しているときに電圧検出手段によって検出した電圧値が第２の電圧値になっても、投射手段による投射像の投射を停止せず、第１のモードと第２のモードとにモードを切り替えるモード切り替え手段を備えることを特徴とする。
（６）請求項６の発明は、請求項５に記載の照明装置において、第２のモードは、電圧検出手段によって検出した電圧値が、第２の電圧値より小さく、電圧値の低下によって投射像を投射することができなくなる第３の電圧値になると投射手段による投射像の投射を停止することを特徴とする。
（７）請求項７の発明は、請求項３乃至５のいずれか１項に記載の照明装置において、投射制御手段の制御に基づいて投射手段による投射像の投射が停止すると、放射手段による光の放射を開始する放射制御手段を備えることを特徴とする。
（８）請求項８の発明は、請求項１乃至７のいずれか１項に記載の照明装置において、電圧検出手段によって検出した電圧値に基づいて放射手段によって光を放射することのできる時間を算出する放射時間算出手段を備え、投射手段は、放射時間算出手段によって算出した時間を表す情報を投射像に重畳して投射することを特徴とする。
（９）請求項９の発明のランタンは、請求項１乃至８のいずれか１項に記載の照明装置を備えることを特徴とする。
【発明の効果】
【０００５】
本発明によれば、投射像の投射によってバッテリの容量が低減しても、照明用として使用できなくなることはない。
【発明を実施するための最良の形態】
【０００６】
以下、図面を参照して本発明を実施するための最良の形態について説明する。図１は、本発明の一実施の形態によるプロジェクタ付きランタン１の外観図である。プロジェクタ付きランタン１は、内蔵されているバッテリによって蛍光管１１を発光させるとともに、投射像を投射することもできる。また、バッテリの容量を監視している。図１に示すように、プロジェクタ付きランタン１は、蛍光管１１、ホヤ１２および吊るし具１３、内蔵したバッテリの容量が少なくなったことを警告する警告ランプ１４を含む。さらに、プロジェクタ機能を有するため、後述するプロジェクタモジュール３０の投射口１５、機能切替スイッチ１６、メモリカードスロット口１７、ＴＶチャンネル切替ボタン１８および外部入力端子１９が設けられている。
【０００７】
機能切替スイッチ１６は回転式のスイッチであり、プロジェクタ付きランタン１の照明機能とプロジェクタ機能とを切り替える。機能切替スイッチ１６には、「ＯＦＦ」、「ＬＩＧＨＴ」、「ＰＪ１」および「ＰＪ２」の切替位置が表示される。機能切替スイッチ１６の切替位置を「ＯＦＦ」にすると、プロジェクタ付きランタン１の照明機能およびプロジェクタ機能は停止する。切替位置を「ＬＩＧＨＴ」にすると、プロジェクタ付きランタン１の照明機能は動作し、プロジェクタ機能は停止する。切替位置を「ＰＪ１」にすると、照明機能は停止、すなわち蛍光管１１は消灯し、または蛍光管１１の光量は低減し、プロジェクタ機能は、後述する照明使用モードで動作する。切替位置を「ＰＪ２」にすると、照明機能は停止し、または蛍光管１１の光量は低減し、プロジェクタ機能は、後述する照明不使用モードで動作する。
【０００８】
メモリカードスロット口１７は画像が記憶されたメモリカードを挿入する挿入口である。チャンネル切替ボタン１８は、内蔵されたＴＶチューナが受信するチャンネルを切り替えるためのボタンである。外部入力端子１９は、カメラやビデオカメラなどの外部機器に接続されたケーブルをつなぐ端子である。
【０００９】
図２は、図１のプロジェクタ付きランタン１の構成を説明するためのブロック図である。図２に示すように、プロジェクタ付きランタン１は制御回路２０、プロジェクタモジュール３０、照明部４０、電源部５０および入力部６０を含む。
【００１０】
制御回路２０は、制御プログラムに基づいて、プロジェクタ付きランタン１を構成する各部から入力される信号を用いて所定の演算を行い、プロジェクタ付きランタン１の各部に対する制御信号を送出する。これにより、制御回路２０は、照明機能、プロジェクタ機能をそれぞれ制御するとともに、電源部５０より供給される電力も制御する。なお、制御プログラムは制御回路２０内の不図示の不揮発性メモリに格納されている。
【００１１】
プロジェクタモジュール３０はプロジェクタ機能を有し、投射レンズ３１と、反射型液晶素子３２と、ＬＥＤ光源３３と、レンズ駆動部３４と、液晶素子駆動部３５と、ＬＥＤ駆動部３６とを含む。ＬＥＤ駆動部３６は、制御回路２０から出力されるＬＥＤ駆動信号に応じてＬＥＤ光源３３にバッテリ５１からの電流を供給する。ＬＥＤ光源３３は、供給電流に応じた明るさで反射型液晶素子３２を照明する。
【００１２】
液晶素子駆動部３５は、画像データに応じて液晶素子駆動信号を生成し、生成した駆動信号で反射型液晶素子３２を駆動する。具体的には、液晶層に対して画像信号に応じた電圧を画素ごとに印加する。電圧が印加された液晶層は液晶分子の配列が変わり、当該液晶層により光の偏光方向が変化する。このように、画像信号に応じてＬＥＤ光源３３からの光を変調することにより、反射型液晶素子３２が光像を生成する。
【００１３】
レンズ駆動部３４は、制御回路２０から出力される制御信号に基づいて、投射レンズ３１のフォーカスレンズを駆動して所定の投影距離範囲に配置された投影面上の画像のフォーカスを調整することができる。投射レンズ３１は、反射型液晶素子３２から射出される光像をスクリーンなどの投影面へ向けて投射する。
【００１４】
照明部４０は照明機能を有し、照明用ランプ４１と照明用ランプ駆動部４２とを含む。照明用ランプ駆動部４２は、制御回路１１から出力される照明用ランプ駆動信号に応じて照明用ランプ４１にバッテリ５１からの電流を供給する。照明用ランプ４１には蛍光管１１のほかにハロゲンランプ、クリプトンランプなどが使用される。
【００１５】
電源部５０はプロジェクタ付きランタン１内の各部に必要な電力を供給し、バッテリ５１と電源回路５２とバッテリチェック回路５３と警告ランプ１４とを含む。電源回路５２は、バッテリ５１から供給される電圧を所定電圧に変換する。バッテリ５１は充電式電池、着脱可能な電池パックや乾電池などによって構成される。バッテリチェック回路５３はバッテリ５１の電圧を検出して、バッテリ５１の容量を検出する。警告ランプ１４は、点灯することによってバッテリ５１の容量が少なくなったことを警告する。
【００１６】
入力部６０は外部からの映像信号などをプロジェクタ付きランタン１に入力する機能を有し、ＴＶチューナ６１、スピーカ６２、外部入出力端子６３（１９）、メモリカードスロット６４および操作装置６６を含む。ＴＶチューナ６１は、制御回路２０の指令によりテレビ放送を受信する。受信したテレビ放送はプロジェクタモジュール３０より投影することができる。スピーカ６２はＴＶチューナ６１が受信した音声情報を出力する。
【００１７】
外部入出力端子６３は、制御回路２０の指令により不図示のケーブルを介してカメラ、ビデオカメラなどの外部機器から画像データなどのデータを受信する。外部機器から受信された画像はプロジェクタモジュール３０より投射することができる。メモリカードスロット６４は装填されたメモリカード６５に記憶された画像データなどを読み込む。読み込んだ画像データは制御回路２０において読み込まれ、不図示のメモリに保存される。展開された画像はプロジェクタモジュール３０より投射することができる。
【００１８】
操作装置６６は、機能切替スイッチ１６やＴＶチャンネル切替ボタン１８などのボタンやスイッチで構成される。操作装置６６を操作することによって、機能を切り替えたり、投射面に順次投射される画像の送り、戻し、一時停止などを行うことができる。
【００１９】
次にプロジェクタモジュール３０の構造について図３を参照して説明する。プロジェクタモジュール３０は、上述した投射レンズ３１、反射型液晶素子３２、ＬＥＤ光源３３などのほかに偏光ビームスプリッタ３７を含む。プロジェクタモジュール３０の動作は以下の通りである。ＬＥＤ光源３３から放射した白色光は偏光ビームスプリッタ３７のスプリッタ面３７ａで反射され、反射型液晶素子３２に導かれる。反射型液晶素子３２は、赤成分用、緑成分用および青成分用の画素を有する。ＬＥＤ光源３３より放射された白色光は反射型液晶素子３２で反射され、それぞれの色成分の光に変調される。変調した反射光は偏光ビームスプリッタ３７を透過し、投射レンズ３１に導かれる。そして、投射像が投影面に投射される。
【００２０】
次に本発明の一実施の形態によるプロジェクタ付きランタン１のバッテリ管理制御処理について説明する。図４を参照して、照明使用モード、つまり機能切替スイッチ１６の切替位置を「ＰＪ１」にしたときのバッテリ管理制御処理について説明する。
【００２１】
バッテリ５１に蓄積された電力によってプロジェクタ付きランタン１より投射像を投射すると、時間とともにバッテリ５１の電圧は降下していく。バッテリチェック回路５３が検出したバッテリ５１の電圧が電圧値Ｖ１（たとえば、３．７Ｖ）になると、図４に示すように、プロジェクタ付きランタン１の警告ランプ１４が点灯する。このとき、まだ投射像をプロジェクタ付きランタン１より投射することができる。
【００２２】
さらに投射像をプロジェクタ付きランタン１より投射し続けると、バッテリ５１の電圧はさらに降下する。そして、バッテリチェック回路５３が検出したバッテリ５１の電圧が電圧値Ｖ２（たとえば、３．３Ｖ）になると、図４に示すように、プロジェクタ付きランタン１による投射像の投射が停止する。電圧値Ｖ２の値は、警告ランプ点灯後、またはプロジェクタ付きランタン１の投射の停止後、所定時間（たとえば、１〜２時間）蛍光管１１（照明用ランプ４１）を点灯し続けることができる電圧である。
【００２３】
次に、図５を参照して、機能切替スイッチ１６の切替位置を「ＬＩＧＨＴ」にしたときのバッテリ管理制御処理について説明する。
【００２４】
バッテリ５１に蓄積された電力によって蛍光管１１を点灯すると、バッテリ５１の電圧は降下していく。図５に示すように、バッテリチェック回路５３が検出したバッテリ５１の電圧が上記電圧値Ｖ１になっても、プロジェクタ付きランタン１の警告ランプ１４は点灯しない。さらにバッテリ５１の電圧が降下して、バッテリチェック回路５３が検出したバッテリ５１の電圧が上記電圧値Ｖ２になっても、図５に示すように、蛍光管１１の点灯は続く。そして、バッテリ５１の電圧が、蛍光管１１を点灯することができる下限の電圧値になるまで、つまりバッテリ５１が消耗するまで蛍光管１１の点灯は続く。
【００２５】
次に、図６を参照して、照明不使用モード、つまり機能切替スイッチ１６の切替位置を「ＰＪ２」にしたときのバッテリ管理制御処理について説明する。
【００２６】
バッテリチェック回路５３が検出したバッテリ５１の電圧が電圧値Ｖ１になると、機能切替スイッチ１６の切替位置を「ＰＪ１」にしたときと同様に、プロジェクタ付きランタン１の警告ランプ１４が点灯する。このとき、まだプロジェクタ付きランタン１より投射することができる。さらにプロジェクタ付きランタン１より投射し続け、バッテリチェック回路５３が検出したバッテリ５１の電圧が電圧値Ｖ２になっても、図６に示すように、プロジェクタ付きランタン１は投射を続けることができる。
【００２７】
さらにプロジェクタ付きランタン１より投射し続け、バッテリチェック回路５３が検出したバッテリ５１の電圧が電圧値Ｖ３（たとえば、１．０Ｖ）になると、図６に示すように、プロジェクタ付きランタン１は投射を停止する。この電圧値Ｖ３の値は、プロジェクタ付きランタン１が投射像を投射することができる電圧値の下限値である。Ｖ３を設定せず、バッテリ５１が消耗するまで投射してもよい。
【００２８】
次に本発明の一実施の形態によるプロジェクタ付きランタン１のバッテリ管理制御処理について図７および図８のフローチャートを参照して説明する。図７および図８の処理は、機能切替スイッチ１６の切替位置を「ＯＦＦ」以外にするとスタートするプログラムにより、制御回路２０において実行される。
【００２９】
ステップＳ７０１では、機能切替スイッチ１６の切替位置が「ＰＪ１」であるか判定する。切替位置が「ＰＪ１」の場合はステップＳ７０１が肯定判定され、ステップＳ７０２へ進む。切替位置が「ＰＪ１」でない場合はステップＳ７０１が否定判定され、ステップＳ７０７へ進む。ステップＳ７０２では、プロジェクタモジュール３０より投射像を投射する。
【００３０】
ステップＳ７０３では、バッテリチェック回路５３が検出した電圧値がＶ１以下であるか判定する。検出した電圧値がＶ１以下の場合はステップＳ７０３が肯定判定され、ステップＳ７０４へ進む。検出した電圧値がＶ１を越える場合はステップＳ７０３を繰り返す。ステップＳ７０４では、警告ランプ１４を点灯する。
【００３１】
ステップＳ７０５では、バッテリチェック回路５３が検出した電圧値がＶ２以下であるか判定する。検出した電圧値がＶ２以下の場合はステップＳ７０５が肯定判定され、ステップＳ７０６へ進む。検出した電圧値がＶ２を越える場合はステップＳ７０５を繰り返す。ステップＳ７０６では、プロジェクタモジュール３０の電力の供給を停止し、プロジェクタモジュール３０の投射を停止する。
【００３２】
ステップＳ７０７では、機能切替スイッチ１６の切替位置が「ＬＩＧＨＴ」であるか判定する。切替位置が「ＬＩＧＨＴ」の場合はステップＳ７０７が肯定判定され、ステップＳ７０８へ進む。切替位置が「ＬＩＧＨＴ」でない場合はステップＳ７０７が否定判定され、図８のステップＳ８０１へ進む。ステップＳ７０８では、蛍光管１１を点灯する。
【００３３】
ステップＳ８０１では、機能切替スイッチ１６の切替位置が「ＰＪ２」であるか判定する。切替位置が「ＰＪ２」の場合はステップＳ８０１が肯定判定され、ステップＳ８０２へ進む。切替位置が「ＰＪ２」でない場合はステップＳ８０１が否定判定され、ステップＳ８０７へ進む。ステップＳ８０２では、プロジェクタモジュール３０より投射像を投射する。
【００３４】
ステップＳ８０３では、バッテリチェック回路５３が検出した電圧値はＶ１以下であるか判定する。検出した電圧値がＶ１以下の場合はステップＳ８０３が肯定判定され、ステップＳ８０４へ進む。検出した電圧値がＶ１を越える場合はステップＳ８０３を繰り返す。ステップＳ８０４では、警告ランプ１４を点灯する。
【００３５】
ステップＳ８０５では、バッテリチェック回路５３が検出した電圧値がＶ３以下であるか判定する。検出した電圧値がＶ３以下の場合はステップＳ８０５が肯定判定され、ステップＳ８０６へ進む。検出した電圧値がＶ３を越える場合はステップＳ８０５を繰り返す。ステップＳ８０６では、プロジェクタモジュール３０の電力の供給を停止し、プロジェクタモジュール３０の投射を停止する。
【００３６】
ステップＳ８０７では、プロジェクタモジュール３０の電力の供給を停止してプロジェクタモジュール３０の投射を停止し、蛍光管１１を消灯する。
【００３７】
以上説明した実施形態によれば、次の作用効果が得られる。
（１）プロジェクタモジュール３０によって投射像を投射中に、照明用ランプ４１を所定時間以上点灯できる電圧値Ｖ１までバッテリ５１の容量が低減すると、その旨を警告するようにした。したがって、プロジェクタモジュール３０の投射によってバッテリ５１の容量が低減し、そのために照明ランプ４１（蛍光管１１）が点灯できなくなることはない。
【００３８】
（２）上記警告後、さらに投射を続けた場合、照明用ランプ４１を所定時間以上点灯できる電圧Ｖ２（＜Ｖ１）までバッテリ５１の容量が低減するとプロジェクタモジュール３０による投射を停止するようにした。したがって、プロジェクタモジュール３０の投射を停止する操作をしなくても、バッテリ５１の消耗により照明ランプ４１（蛍光管１１）が点灯できなることはない。
【００３９】
（３）上記（１），（２）のようにバッテリ残量を制御したので、プロジェクタモジュール３０の投射によってバッテリ５１の容量が低減しても、所定時間、照明ランプ４１（蛍光管１１）を点灯し続けることができ、ユーザの利便性が向上する。
【００４０】
（４）上記（１），（２）のようにバッテリ残量制御を行うモードに加えて、プロジェクタモジュール３０による投射を行うことができる電圧値までプロジェクタモジュール３０による投射をし続けるモードを選択することができるようにした。したがって、照明用としてプロジェクタ付きランタン１を使用しない場合は、バッテリ５１の容量をプロジェクタ機能用として使い切ることができ、ユーザの利便性が向上する。
【００４１】
（５）ランタンにプロジェクタ機能を付加した。ランタンは夜間の野外活動に必須なものであるので、ランタンを忘れることは少なく、その結果、プロジェクタの携行を忘れたり、電池の充電を忘れたりすることを防止することができる。
【００４２】
以上説明した実施形態を次のように変形することができる。
（１）照明装置であれば、ランタンに限定されない。たとえば、懐中電灯や災害用ライトなど、ランタン以外の持ち運び可能な照明装置にも本発明を適用できる。ランタン以外の照明装置でも、プロジェクタ機能の動作によってバッテリの容量を使い切ってしまい、照明用として使用できなくなるのを防止することができる。
【００４３】
（２）バッテリ５１の容量低減によってバッテリチェック回路５３が検出する電圧値がＶ２になるとプロジェクタモジュール３０の投射を停止したが、図９に示すように、バッテリチェック回路５３が検出する電圧値がＶ２になるとプロジェクタモジュール３０の投射の停止とともに蛍光管１１を点灯するようにしてもよい。プロジェクタモジュール３０による投射を停止しても周りは真っ暗にならないので、予備のバッテリを探すなど、次の作業に速やかに取り掛かることができる。
【００４４】
（３）プロジェクタモジュール３０による投射中にバッテリ５１の容量が低減すると、警告ランプ１４が点灯したり、プロジェクタモジュール３０による投射が停止したりしたが、図１０に示すように、照明用ランプ４１の点灯中にバッテリ５１の容量が低減すると、警告ランプ１４が点灯したり、照明用ランプ４１が消灯するようにしてもよい。
【００４５】
図１０を参照して説明すると、バッテリチェック回路５３が検出したバッテリ５１の電圧が電圧値Ｖ４になると、プロジェクタ付きランタン１の警告ランプ１４が点灯する。このとき、まだ蛍光管１１を点灯することができる。さらに蛍光管１１を点灯し続け、バッテリ５１の電圧はさらに降下する。そして、バッテリチェック回路５３が検出したバッテリ５１の電圧が、電圧値Ｖ４より小さい電圧値Ｖ５になると、図１０に示すように、蛍光管１１は消灯する。蛍光管１１を点灯するのに必要な電圧は、プロジェクタモジュール３０から投射像を投射するときに必要な電圧より低いので、電圧値Ｖ４は電圧値Ｖ１より小さく、電圧値Ｖ４は電圧値Ｖ２より小さい。
【００４６】
上記のようにすることによって、蛍光管１１が点灯できなくなる前にバッテリ５１の消耗を認識でき、バッテリ５１の交換や充電を行うことができる。また、バッテリ５１の消耗によって蛍光管１１が点灯できなくなっても、警告ランプ１４は点灯しているので、点灯ランプ１４の明かりを頼りに予備バッテリなどを探すなど、次の作業を行うことができる。
【００４７】
（４）制御回路２０においてバッテリ５１の容量と照明用ランプ４１の点灯による単位時間当たりの電力消費量とから照明用ランプ４１を点灯し続ける時間を算出し、図１１に示すように、プロジェクタモジュール３０より投射像を投射するときに一緒に照明用ランプ４１を点灯し続けることのできる時間７１を投射像に重畳して投射してもよい。バッテリ５１の容量はバッテリチェック回路５３が検出した電圧値より検出する。プロジェクタ付きランタン１を照明用として使用できる時間がわかり、安心して投射像を投射することができる。
【００４８】
（５）バッテリ５１の容量低減を警告できるものであれば、警告ランプ１４の点灯に限定されない。音声によって警告するようにしてもよい。
【００４９】
（６）ＬＥＤ光源３３を照明用に使用して、ＬＥＤ光源３３と照明用ランプ４１とを同一のものとしてもよい。この場合、プロジェクタ用として使用するときに比べて照明用として使用するときの光源の明るさは暗くなるので、照明用の明るさで所定時間ＬＥＤ光源３３を点灯し続けることのできる電圧値になると、警告ランプ１４が点灯する。逆に照明用ランプ４１をプロジェクタ用として使用できるようにしてもよい。
【００５０】
以上の説明はあくまで一例であり、発明は、上記の実施形態に何ら限定されるものではない。
【図面の簡単な説明】
【００５１】
【図１】本発明の一実施の形態によるプロジェクタ付きランタンの外観図である。
【図２】本発明の一実施の形態によるプロジェクタ付きランタンの構成を説明するためのブロック図である。
【図３】本発明の一実施の形態によるプロジェクタモジュールの構造を説明するための図である。
【図４】機能切替スイッチの切替位置を「ＰＪ１」にしたときのバッテリ管理制御処理について説明するための図である。
【図５】機能切替スイッチの切替位置を「ＬＩＧＨＴ」にしたときのバッテリ管理制御処理について説明するための図である。
【図６】機能切替スイッチの切替位置を「ＰＪ２」にしたときのバッテリ管理制御処理について説明するための図である。
【図７】本発明の一実施の形態によるプロジェクタ付きランタンのバッテリ管理制御処理を説明するためのフローチャートである。
【図８】本発明の一実施の形態によるプロジェクタ付きランタンのバッテリ管理制御処理を説明するためのフローチャートである。
【図９】本発明の他の実施形態における機能切替スイッチの切替位置を「ＰＪ１」にしたときのバッテリ管理制御処理について説明するための図である。
【図１０】本発明の他の実施形態における機能切替スイッチの切替位置を「ＬＩＧＨＴ」にしたときのバッテリ管理制御処理について説明するための図である。
【図１１】本発明の他の実施形態における照明用ランプを点灯し続けることができる時間の投射を説明するための図である。
【符号の説明】
【００５２】
１  プロジェクタ付きランタン
１１  蛍光管
１４  警告ランプ
１５  投射口
１６  機能切替スイッチ
３０  プロジェクタモジュール
３１  投射レンズ
３２  反射型液晶素子
３３  ＬＥＤ光源
４１  照明用ランプ
５１  バッテリ
５３  バッテリチェック回路
【図１】
2008047407.tif 000003
【図２】
2008047407.tif 000004
【図３】
2008047407.tif 000005
【図４】
2008047407.tif 000006
【図５】
2008047407.tif 000007
【図６】
2008047407.tif 000008
【図７】
2008047407.tif 000009
【図８】
2008047407.tif 000010
【図９】
2008047407.tif 000011
【図１０】
2008047407.tif 000012
【図１１】
2008047407.tif 000013